(57)【要約】【課題】本発明の課題は、ユーザが視聴したいコンテンツ群の取捨選択において、既にユーザによって選択されたコンテンツ群とそれ以外のコンテンツ群を任意の割合で混在させ、さらに混在させる前にユーザがどのようなコンテンツが混在されるかを容易に確認可能としたコンテンツ再生装置を提供することにある。【解決手段】上記した課題を解決するため、本発明の情報再生装置は、ユーザが再生可能なコンテンツを再生候補となる群と、前記再生候補となる群に追加される候補となる群に分類して表示し、コンテンツは前記追加候補群から前記再生候補群に所定の条件で移動し、入力装置からの入力により移動するコンテンツの量（割合・条件等）をユーザーが任意に調節できるようにした。【選択図】図１
2007157243.tif 000002
【特許請求の範囲】
【請求項１】
情報を記憶する情報記憶装置と、
情報を表示する情報表示装置と、
外部からの指示を入力する入力装置と、
情報を処理する情報処理装置と、
前記情報処理装置により再生された情報を出力する出力装置とを有し、
前記情報表示装置は、第一の領域と第二の領域とを有し、前記情報記憶装置に記憶された情報をアイコンとして表示し、
前記情報処理装置は、前記第一の領域内に含まれる前記アイコンの情報を再生し、
前記第一の領域内に含まれる前記アイコンは、１または２以上のアイコンを有する第一のアイコン群と、１または２以上のアイコンを有する第二のアイコン群とを有し、
前記第一のアイコン群は、前記入力装置により前記情報記憶装置に記憶された情報の中から選択された情報のアイコンであり、
前記第二のアイコン群は、前記第二の領域内に含まれるアイコンのうち、所定の条件により前記第一の領域に移動する情報のアイコンであり、
前記入力装置により前記第一に領域に移動する前記第二のアイコン群の量を変更できることを特徴とする情報再生装置。
【請求項２】
前記第一の領域は第一の開口部と第二の開口部を有し、
前記変更は、前記第一の開口部の大きさにより、前記第二の領域内に含まれるアイコンが前記第一の領域に移動する量を変更し、
前記第二の開口部の大きさにより、前記第一の領域内に含まれるアイコンが前記第二の領域に移動する量を変更することにより行われることを特徴とする請求項１記載の情報再生装置。
【請求項３】
前記情報処理装置により再生された、前記第二のアイコン群の情報は、前記第二の開口部から、前記第二の領域に移動することを特徴とする請求項２記載の情報再生装置。
【請求項４】
前記情報表示装置は、前記第二の領域内にある前記アイコンを、前記表示装置上を移動するように表示することを特徴とする請求項１記載の情報再生装置。
【請求項５】
前記入力装置により、前記第二の領域内にある前記アイコンを前記第一の領域内に、または前記第一の領域内にある前記アイコンを前記第二の領域内に移動することができることを特徴とする請求項１記載の情報再生装置。
【請求項６】
前記所定の条件は、ランダムもしくは、前記アイコンの属性に依存、もしくは前記入力装置により指定可能であることを特徴とする請求項１記載の情報再生装置。
【請求項７】
前記アイコンの移動の速度、もしくは、前記アイコンの大きさを、前記入力装置により設定できることを特徴とする請求項４記載の情報再生装置。
【請求項８】
前記第二の領域に表示できる前記アイコンの最大数またはアイコンの属性を前記入力装置から設定できることを特徴とする請求項１記載の情報再生装置。
【請求項９】
情報を記憶する情報記憶装置と、情報を表示する情報表示装置と、外部からの指示を入力する入力装置と、情報を処理する情報処理装置と、前記情報処理装置により再生された情報を出力する出力装置とを有する情報再生装置を、
前記情報表示装置は、第一の領域と第二の領域とを有し、前記情報記憶装置に記憶された情報をアイコンとして表示し、
前記情報処理装置は、前記第一の領域内に含まれる前記アイコンの情報を再生し、
前記第一の領域内に含まれる前記アイコンは、１または２以上のアイコンを有する第一のアイコン群と、１または２以上のアイコンを有する第二のアイコン群とを有し、
前記第一のアイコン群は、前記入力装置により前記情報記憶装置に記憶された情報の中から選択された情報のアイコンであり、
前記第二のアイコン群は、前記第二の領域内に含まれるアイコンのうち、所定の条件により前記第一の領域に移動する情報のアイコンであり、
前記入力装置により前記第一に領域に移動する前記第二のアイコン群の量を変更できるように機能させるための情報再生プログラム。
【請求項１０】
前記第一の領域は第一の開口部と第二の開口部を有し、
前記変更は、前記第一の開口部の大きさにより、前記第二の領域内に含まれるアイコンが前記第一の領域に移動する量を変更し、
前記第二の開口部の大きさにより、前記第一の領域内に含まれるアイコンが前記第二の領域に移動する量を変更することにより行われることを特徴とする請求項９の記載情報再生プログラム。
【請求項１１】
前記情報処理装置により再生された、前記第二のアイコン群の情報は、前記第二の開口部から、前記第二の領域に移動することを特徴とする請求項１０の記載情報再生プログラム。
【請求項１２】
前記情報表示装置は、前記第二の領域内にある前記アイコンを、前記表示装置上を移動するように表示することを特徴とする請求項９の記載情報再生プログラム。
【請求項１３】
前記入力装置により、前記第二の領域内にある前記アイコンを前記第一の領域内に、または前記第一の領域内にある前記アイコンを前記第二の領域内に移動することができることを特徴とする請求項９の記載情報再生プログラム。
【請求項１４】
前記所定の条件は、ランダムもしくは、前記アイコンの属性に依存、もしくは前記入力装置により指定可能であることを特徴とする請求項９の記載情報再生プログラム。
【請求項１５】
前記アイコンの移動の速度、もしくは、前記アイコンの大きさを、前記入力装置により設定できることを特徴とする請求項９の記載情報再生プログラム。
【請求項１６】
前記第二の領域に表示できる前記アイコンの最大数またはアイコンの属性を前記入力装置から設定できることを特徴とする請求項９の記載情報再生プログラム。
【発明の詳細な説明】
【技術分野】
【０００１】
本発明は、音楽や映像等のコンテンツ情報の再生装置および方法、並びにプログラムに関し、特に利用者の嗜好に適した複数の情報を収集し再生できるようにする情報再生装置および方法、並びにプログラムに関する。
【背景技術】
【０００２】
近年、音楽や映像等のコンテンツをMP3（MPEG Audio Layer-3）フォーマットやMPEGフォーマット等のデータとして、家電や携帯用電子機器上のＨＤＤや半導体メモリ等の記憶媒体に保存・再生することが一般的になってきた。
【０００３】
これらで用いる記憶媒体は低価格化・大容量化が進んでおり、大量のコンテンツが家電等の電子機器に蓄積されつつある。
【０００４】
このように大量のコンテンツを利用者が保持するようになってきたため、利用者が自分の望むコンテンツをどのようにして選ぶかは重要な問題となってきている。
【０００５】
例えば、音楽であれば、携帯用の音楽プレーヤーは数千曲もの楽曲を保存することができるようになっており、利用者はあらかじめ作成したプレイリストもしくはジャンルやアーティストを指定し、順次もしくはランダムに再生することが多くなってきている。
【０００６】
明確に現在聞きたい楽曲が定まっている場合は、アルバムもしくはプレイリストを選択し、逆に何でもいいからとにかく音楽が聞きたいという場合は、ジャンル等の比較的抽象的な絞込みを行って作成した楽曲数を多く含むプレイリストを選択し、ランダム再生を行うことになる。
【０００７】
しかし、抽象的な絞込みを行って作成したプレイリストは、含まれる楽曲数が多すぎて中々自分の望む楽曲が再生されないことがあり、また、ユーザの取捨選択によって作成されたプレイリストはユーザによって再編集されない限りリストは変化しないため、繰り返して聴くもしくは日時が経過するにつれてユーザの嗜好にそぐわなくなってしまうという問題がある。
【０００８】
ここで、再生頻度や最後に再生した日時等の利用者の視聴行動やジャンルやアーティスト等の属性情報を用いた検索による動的なプレイリストの生成と自動更新に関する技術が特許文献１で開示されている。特許文献１の方法では、静的な項目すなわちユーザによって選択された項目と検索を行って動的に取得する項目とからプレイリストを構成できる。例えば、アルバムＡとアルバムＢ、それに加えて、ジャンルがＪａｚｚのアルバムで最近聞いていないもの、という組み合わせからなるプレイリストを構成できる。したがって、アルバムＣとアルバムＤとそれにランダムに抽出した７つのアルバムからなるプレイリストを構成できる。
【０００９】
【特許文献１】ＵＳ６、９４１、３２４
【発明の開示】
【発明が解決しようとする課題】
【００１０】
しかし、特許文献１による方法では、どのような楽曲がランダムに抽出されるかは、プレイリストを構成するまでは分からず、ユーザの聴きたくない楽曲がプレイリストに含まれる可能性が生じる。さらに、抽出から漏れた楽曲の方をよりユーザが好む可能性もある。特許文献１による方法は、例えばジャンルがロックで２０００年以降の曲のように、聞きたい楽曲の条件が明確に決まっている場合はよいが、ユーザが音楽を聴く場合、そのような状態になっていないことも多い。最低限聞きたいアルバム群は決まっているが、それだけでは飽きてしまう恐れがあるので、何か他のアルバム群をいくつか混ぜて聴きたいという状況である。この場合、混ぜたいアルバム群というものの条件は明確には決まっていないが、全くランダムでよいという訳ではなく、ユーザの心理的状況にミスマッチでないことが望ましい。そして、ユーザが能動的に選択したアルバム群とそれ以外のアルバム群を混ぜる比率もユーザの心理的状況によって様々に変化する。本発明の目的は、かかる問題を解消し、ユーザが視聴したいコンテンツ群の取捨選択において、既にユーザによって選択されたコンテンツ群とそれ以外のコンテンツ群を任意の割合で混在させ、さらに混在させる前にユーザがどのようなコンテンツが混在されるかを容易に確認可能としたコンテンツ再生装置を提供することにある。
【課題を解決するための手段】
【００１１】
上記した課題を解決するため、本発明の情報再生装置は、図１に示すように、ユーザが再生可能なコンテンツ（例えば映像データ、楽曲データ、静止画・動画データ、ＷｅｂのＵＲＬ）を再生候補となる群（例えば第二の領域に表示）と、前記再生候補となる群に追加される候補となる群（例えば第一の領域に表示）に分類して表示し、コンテンツは前記追加候補群から前記再生候補群に所定の条件で移動し、入力装置からの入力により移動するコンテンツの量（割合・条件等）をユーザーが任意に調節できるようにした。
【００１２】
上記情報再生装置の構成としては、例えば、
（１）情報を記憶する情報記憶装置と、情報を表示する情報表示装置と、外部からの指示を入力する入力装置と、情報を処理する情報処理装置と、前記情報処理装置により再生された情報を出力する出力装置とを有し、
前記情報表示装置は、第一の領域と第二の領域とを有し、前記情報記憶装置に記憶された情報をアイコンとして表示し、
前記情報処理装置は、前記第一の領域内に含まれる前記アイコンの情報を再生し、
前記第一の領域内に含まれる前記アイコンは、１または２以上のアイコンを有する第一のアイコン群と、１または２以上のアイコンを有する第二のアイコン群とを有し、
前記第一のアイコン群は、前記入力装置により前記情報記憶装置に記憶された情報の中から選択された情報のアイコンであり、
前記第二のアイコン群は、前記第二の領域内に含まれるアイコンのうち、所定の条件により前記第一の領域に移動する情報のアイコンであり、
前記入力装置により前記第一に領域に移動する前記第二のアイコン群の量を変更できることを特徴とする情報再生装置がある。
（２）前記第一の領域は第一の開口部と第二の開口部を有し、前記変更は、前記第一の開口部の大きさにより、前記第二の領域内に含まれるアイコンが前記第一の領域に移動する量を変更し、前記第二の開口部の大きさにより、前記第一の領域内に含まれるアイコンが前記第二の領域に移動する量を変更することにより行われるようにしてもよい。
（３）前記情報処理装置により再生された、前記第二のアイコン群の情報は、前記第二の開口部から、前記第二の領域に移動するようにしてもよい。
（４）前記情報表示装置は、前記第二の領域内にある前記アイコンを、前記表示装置上を移動するように表示するようにしてもよい。
（５）前記入力装置により、前記第二の領域内にある前記アイコンを前記第一の領域内に、または前記第一の領域内にある前記アイコンを前記第二の領域内に移動するようにしてもよい。
（６）前記所定の条件は、ランダムもしくは、前記アイコンの属性に依存、もしくは前記入力装置により指定可能としてもよい。
（７）前記アイコンの移動の速度、もしくは、前記アイコンの大きさを、前記入力装置により設定できるようにしてもよい。
【発明の効果】
【００１３】
本発明によれば、ユーザは自分が任意に選択したコンテンツ群とそれ以外の再生可能なコンテンツとを任意の割合で混合して再生することができる。さらに、混合させる前にどのようなコンテンツ群が混在されるかを事前にユーザが確認できることによって、ユーザの好まないコンテンツが再生されることを防ぐことができる。また、同様のコンテンツが繰り返し再生されることによるマンネリを防ぐことができる。
【発明を実施するための最良の形態】
【００１４】
以下、本発明の実施形態を図面を用いて説明する。
【実施例１】
【００１５】
図２は本発明による情報再生装置の一実施形態を示す概略構成図であり、１０１は情報表示装置（例えば、ディスプレイ）、１０２は入力装置（例えばマウス、キーボード、リモコン）、１０３は出力装置（例えばスピーカー、ヘッドフォン、ディスプレイなどの情報表示装置）、１０４は情報処理装置（例えば中央演算装置）、１０５は情報記憶装置一（例えばメモリ）、１０６は情報記憶装置二（例えばハードディスク）であり、再生する情報は一例として音楽情報などである。
【００１６】
上記の情報表示装置１０１、入力装置１０２、出力装置１０３、情報処理装置１０４、情報記憶装置一１０５、情報記憶装置二１０６はバス線１１０などによって接続されている。
【００１７】
情報記憶装置二１０６には再生用プログラム１０７、楽曲ライブラリ情報１０８、楽曲データファイル１０９を格納する。
【００１８】
情報記憶装置は情報処理装置と直接接続されているものだけではなく、インターネット等の通信回線を介した遠隔地に存在する情報記憶装置でもよい。
【００１９】
情報再生用プログラム１０７は本発明における情報処理の手順を記述したものである。
【００２０】
楽曲データファイルは、情報処理装置１０４によって処理され最終的に出力装置１０３にて出力される音楽情報である。
【００２１】
楽曲ライブラリ情報は、図３に示すように、各楽曲データファイルに付属する属性情報やユーザの視聴記録・評価等をまとめた楽曲情報テーブル１０８ａと、各楽曲データファイルの再生順やアイコンとして表示する際の画像ファイルの場所等の情報をまとめたプレイリスト情報テーブル１０８ｂから構成される。プレイリスト情報テーブル１０８ｂの各データには楽曲情報テーブル１０８ａの各データを識別する情報が１または２以上含まれ、プレイリスト情報テーブル１０８ｂの各データから楽曲情報テーブルの１または２以上のデータを参照でき、さらに参照された楽曲情報テーブルのデータから前記出力装置により再生される音楽情報を保持する楽曲データファイルを参照することができる。
【００２２】
図４が本実施例による情報表示装置上の画面構成の一例であるが、前述のプレイリスト情報テーブルの各データを視覚化したものがアイコン２１０である。また、再生候補であるアイコン２１０群が存在するのが第一の領域２０１であり、第一の領域２０１への追加候補であるアイコン２１０群が存在するのが第二の領域２０２である。第一の領域内には現在再生されているアイコンが位置する領域２０１ｂ、楽曲の再生・停止・次の曲へスキップ等の制御を行うボタン群２０１ｃが配置されている。領域２００、領域２９９は実際には情報表示装置上には表示されない領域である。開口部２２１、開口部２２２はユーザの入力装置による指示で開閉が可能である。またカーソル２５０は入力装置であるマウスを視覚化したものである。
【００２３】
本発明による情報再生装置の電源投入からの処理の流れは図５のようになる。まず、本発明による情報再生装置の電源を入れると（Ｓ５−１）、情報処理装置１０４は情報記憶装置二１０６に格納された再生用プログラム１０７を情報記憶装置一１０５に読み込み（Ｓ５−２）、再生用プログラム１０７に記述された手順に従って処理を行う（Ｓ５−３）。
【００２４】
再生用プログラム１０７の実行が開始されると、情報処理装置１０４は情報記憶装置二１０６からプレイリスト情報テーブル１１０ｂを読み込み、各データに対応するアイコン２１０を作成する（Ｓ５−４）。
【００２５】
作成したアイコン２１０の位置は２００内の所定の条件５０１によって決定された位置に設定される（Ｓ５−５）。所定の条件５０１には、ランダムに設定するもしくは図１１のようにアイコン２１０に対応するプレイリストの属性情報（例えばユーザによる評価）に応じて位置を変化させることもできるし、入力装置で指定するようにしてもよい。
【００２６】
次に上記で作成したアイコン２１０全てに対して、所定の処理５０２を行う（Ｓ５−６）。（Ｓ５−６）におけるアイコン２１０に対する所定の処理５０２は図６のようになっており、後ほど詳述する。
【００２７】
その後、再生中かどうか（入力装置により既に再生開始の指示がなされ、その後停止の指示がなされていないかどうか）を確認する（Ｓ５−７）。再生中の場合は、第一の領域２０１にアイコン２１０が存在し、かつ領域２０１ｂにアイコン２１０が存在しないかを確認し（Ｓ５−８）、所定の条件５０３によって選択された第一の領域２０１内のアイコン２１０を領域２０１ｂに移動させ（Ｓ５−９）、プレイリスト情報テーブル１１０ｂから移動させたアイコン２１０に対応するプレイリストデータを取得し（Ｓ５−１０）、取得したプレイリストデータが含む楽曲情報データを楽曲情報テーブル１１０ａから取得し（Ｓ５−１１）、取得した楽曲情報データから、楽曲データファイル１０９の場所を取得し、情報処理装置１０４にて楽曲データファイルの情報を再生し、その出力を出力装置１０３により出力する（Ｓ５−１２）。第一の領域２０１内のアイコン２１０の領域２０１ｂへの移動は例えば図１４のようになる。
【００２８】
上記所定の条件５０３の例としては、第一の領域２０１に存在するアイコン２１０の中で、第一の領域２０１内に追加された順番が早くかつ再生用プログラム１０８の実行が開始されてからの再生回数が一番少ないものを選択するという方法がある。また、ランダムに第一の領域２０１に存在するアイコン２１０を選択してもよい。ランダムに取得する際には、さらに対象となるアイコン２１０に対応するプレイリストの本装置利用開始からの再生回数もしくは利用者による評価による重み付けを行ってもよい。
【００２９】
再生中かどうかの確認（Ｓ５−７）の後、Ｓ５−８からＳ５−１２の処理を経ても経なくとも、第一の領域２０１と第二の領域２０２と、双方の領域に存在する全ての項目を情報表示装置１０１により表示する（Ｓ５−１３）。アイコン２１０を表示する際には、各アイコン２１０が対応するプレイリストの属性情報（例えばユーザの評価）に応じて図１０のように大きさを変えて表示することができる。ここで、再生中の場合は、図１５のように、領域２０１ｂの周囲にプレイリストを構成する楽曲の数とプレイリスト全体に占める再生時間２１１や現在再生されている箇所２１２を表示してもよい。さらに、領域２０１ａのような領域を設け、制御用のアイコン（例えば音量制御用アイコン２０１ｃ）をそこに表示してもよい。
【００３０】
その後、入力装置１０２による指示を処理し、その指示が再生プログラム１０７の終了指示であるまで、上記全てのアイコン２１０に対する所定の処理の部分から繰り返し処理を行う（Ｓ５−１４）。再生プログラム１０７の終了指示が行われた場合は、再生プログラム１０７を終了させ、本情報再生装置の電源を切る（Ｓ５−１５）。入力装置１０２による指示には、終了指示のほか、再生指示（図１４）、アイコン２１０を第二の領域２０２から第一の領域２０１へ移動させる指示（図１２）、開口部２２１の開閉指示（図１７）がある。第一の領域２０１内でのアイコン２１０群の並び替え（図１６）指示を行えるようにしてもよい。
【００３１】
（Ｓ５−６）におけるアイコン２１０に対する所定の処理５０２は図６のようになっている。
【００３２】
アイコン２１０に対する処理５０２が開始されると（Ｓ６−１）、まず条件６０１が確認される（Ｓ６−２）。条件６０１は対象のアイコン２１０が第一の領域もしくは第二の領域に存在するまたは第二の領域に移動できるかどうかを確認する条件である。第二の領域に移動できるかどうかは、所定の条件８０１によって定められる。所定の条件８０１は例えば第二の領域内に存在することができるアイコン２１０の最大数の指定もしくは第二の領域内に存在することができる楽曲のジャンル等がある。所定の条件８０１は図８の設定画面から入力装置１０２による指示で設定することができる。
【００３３】
条件６０１が満足されていない場合、対象のアイコン２１０に対する処理５０２は終了する（Ｓ６−２１）。条件６０１が満足された場合で、領域２００に対象のアイコン２１０が存在している場合は領域２０２に対象のアイコン２１０を移動させる（Ｓ６−３）。
（Ｓ６−３）の後、対象のアイコン２１０が領域２０２に存在するかを確認する（Ｓ６−４）。
【００３４】
領域２０２に存在する場合、対象のアイコン２１０を移動させる（Ｓ６−５）。移動方法としては例えば第二の領域内を左から右へと移動させるという方法がある。その際、さらに対象のアイコン２１０に対応するプレイリストの属性情報（例えばユーザによる評価）に応じて速度を変化させたり（図９）大きさを変化させる（図１０）ことができる。
【００３５】
対象のアイコンを移動させた結果、条件６０２を満足しているかを確認し（Ｓ６−６）、条件６０２を満足している場合は領域２９９内に移動させる（Ｓ６−７）。条件６０２には、例えば、第二の領域２０２内を左から右へ移動させている場合において画面右端よりも右の位置にアイコン２１０の位置が設定されたかどうかという条件や、アイコン２１０が第二の領域２０２に移動してからの時間が指定時間を経過したかどうかという条件がある。
【００３６】
条件６０２を満足していない場合、次に第一の領域２０１に侵入したかどうかを確認する（Ｓ６−８）。領域２０１に侵入していない場合、対象のアイコン２１０に対する処理を終える（Ｓ６−２１）。領域２０１に侵入した場合、開口部２２１から侵入したかどうかを確認する（Ｓ６−９）。開口部２２１から侵入した場合、対象のアイコン２１０の処理を終了する（Ｓ６−２１）。開口部２２１から侵入しなかった場合、対象のアイコン２１０を第二の領域２０２に移動させ（Ｓ６−１０）、処理を終了する（Ｓ６−２１）。開口部２２１から侵入するかどうかは開口部２２１がどの程度開いているかに依存する。図７に示すように、開口部２２１が全く開いていない場合は、アイコン２１０は第二の領域２０２から第一の領域２０１に侵入することはない。
【００３７】
開口部２２１、２２２は図１６のように前記入力装置による指示で開けることができ、どの程度開けるかについても指示可能である。そのため、ユーザが前記入力装置による指示で第一の領域から第二の領域に移動させたアイコン２１０群と、それ以外の第二の領域内に存在するアイコン群とをユーザが指定した比率で混在させることが可能になる。さらに、第二の領域から第一の領域に開口部を経由して移動してくるアイコン２１０は視覚化された情報であるため、ユーザが能動的に選択したアイコン群に追加される前に確認することができる（図１８）。そのため、ユーザが置かれている状況に好ましくないと感じた楽曲をあらわすアイコン２１０が第二の領域から第一の領域へ移動することがアイコン２１０の動きから予測された場合、ユーザは開口部２２１を閉じることで、好ましくない楽曲が再生されることを防ぐことができる。つまり本発明では、再生されるコンテンツ群にどのようなコンテンツが入ってくるかをユーザーが事前に認知することができ、この認知により、再生させるコンテンツ群に入れるコンテンツを事前に制御することができる。
【００３８】
（Ｓ６−４）にて対象のアイコン２１０が領域２０２に存在していない場合、領域２０１に存在しているかを確認する（Ｓ６−１１）。領域２０１に存在していた場合、まず領域２０１ｂに存在しているかどうかを確認する（Ｓ６−１２）。領域２０１ｂに存在していた場合は、対象のアイコン２１０に関連する楽曲のうち最後の楽曲が再生終了したかどうかを確認する（Ｓ６−１３）。再生が終了していない場合、処理を終了する（Ｓ６−２１）。再生が終了した場合、対象のアイコン２１０を第一の領域２０１に移動させ（Ｓ６−１４）、処理を終了する（Ｓ６−２１）。領域２０１ｂに対象のアイコン２１０が存在していなかった場合は、領域２０１内を移動する（Ｓ６−１５）。領域２０１内の移動には例えば、図１３のように領域２０１内を循環するように、時計回りに移動する方法がある。領域２０１内の移動後、開口部２２２が開いているかどうかを確認する（Ｓ６−１６）。開口部２２２が開いていない場合、処理を終了する（Ｓ６−２１）。開口部２２２が開いている場合は、条件６０３を満たしているかを確認する（Ｓ６−１７）。条件６０３を満たしいている場合は、対象のアイコン２１０を第二の領域２０２に移動させ（Ｓ６−１８）、処理を終了する（Ｓ６−２１）。条件６０３を満たしていない場合は処理を終了する（Ｓ６−２１）。条件６０３には、例えば、前記入力装置からのユーザの操作によらず第二の領域２０２から第一の領域２０１に移動したアイコン２１０であって開口部２２２付近に存在するという条件がある。第一の領域に移動してから指定回数再生されたかどうかという条件にすることも可能である。このような条件にすれば、開口部２２２を開けておくことで、ユーザが能動的に選択したアイコン２１０は第一の領域２０１に残しつつ、ユーザの意思とは無関係に第二の領域２０２から第一の領域２０１に侵入したアイコン２１０を自動的に第二の領域へ移動させることが可能になる（図１９）。
【００３９】
また、開口部２２１、２２２をの開口の大きさを調整することで、ユーザが能動的に選択したアイコン２１０と自動的に入れ替わっていくアイコン２１０を任意の割合で合成することが可能になり、「聞き飽きる」という状態に陥ることを防ぐことができる。この場合の情報表示装置１０１の表示例は図２０のようになる。
【００４０】
（Ｓ６−１１）において対象のアイコン２１０が領域２０１に存在していない場合、領域２９９に存在するかどうかを確認する（Ｓ６−１９）。対象のアイコン２１０が領域２９９にも存在していなかった場合、処理を終了する（Ｓ６−２１）。対象のアイコン２１０が領域２９９に存在する場合は領域２００に移動させ（Ｓ６−２０）、処理を終了する（Ｓ６−２１）。
【実施例２】
【００４１】
図２1は本発明による情報再生装置のための検索インタフェースの一例である。入力装置１０２による指示により、検索用アイコン２１２を表示させることができる。表示させる検索用アイコン２１２の数は１または２以上である。検索用アイコン２１２はそれぞれ検索条件に対応している。例えば、「ジャンルがロックである」「ジャンルがJazzである」「再生回数が３回以上である」「発売された年が２００５年である」等である。表示させた検索用アイコン２１２から１つを入力装置１０２による指示で選択すると、その検索用アイコン２１２に対応する検索条件に合致する０または１以上のアイコン２１０が影響範囲２１３に表示される。検索用アイコン２１２に対応する検索条件は入力装置による指示で変更でき、変更に伴って、対応する検索条件に合致するアイコン２１０が変化し、それらは動的に入れ替わり、検索条件の変化に対する結果の変化を動的に確認することができ、利用者の望む結果を得る検索条件を設定しやすくすることができる。例えば、「再生回数が６回以上である」と「再生回数が５回以上である」という複数の条件の違いを動的に確認することができる。
【００４２】
図２２、図２３は移動するアイコン２１０群の軌跡上に検索用アイコン２１２を設定した際の状況を示している。検索用アイコン２１２に対応する検索条件に合致するアイコン２１０のみが検索用アイコン２１２の影響範囲２１３に留まり、検索条件に合致するアイコン２１０を集めることが可能になる。ただし、図２３のように、検索用アイコン２１２の影響範囲２１３に留まることのできるアイコン２１０の数には制限がある。例えば、アイコン２１０ｃは検索用アイコン２１２の影響範囲２１３に存在するアイコン２１０の数が制限数以下であったので留まることができるが、アイコン２１０ｄはアイコン２１０ｃによって制限数に達してしまったため、留まることができない。ただし、図２４のように、ユーザとって不要なアイコン２１０ｅを入力装置１０２による指示で検索用アイコン２１２の影響範囲２１３から取り除くことで、検索用アイコン２１０の影響範囲２１３に留まることのできなかったアイコン２１０ｆが留まるようになる。検索用アイコン２１２の影響範囲２１３に留まることのできるアイコン２１０の数は影響範囲２１３の大きさに依存し、影響範囲２１３と領域２０２との境界を入力装置１０２による指示で変更することで調節が可能である。
【００４３】
さらに、図２５のように、検索用アイコン２１２は複数生成することができ、並行して検索が行えると同時に情報表示装置１０１上で検索用アイコン２１２のそれぞれの影響範囲２１３を重ね合わせることでＡＮＤ検索を行うことができる。ＡＮＤ検索で集められるアイコン２１０の数は、影響範囲２１３の重なり合う領域の大きさに依存する。
【００４４】
上記検索アイコン２１２と実施例１に組み合わせると、図２６のように第一の領域に移動するアイコン２１０に制限を加えることができる。さらに、図２７、図２８のように、検索条件に合致したアイコン２１０の集団を一度に第一の領域に移動させることができる。
【実施例３】
【００４５】
図２９にはネットワーク１１２上のリモートストレージ１１３に格納されている楽曲データファイル１０９ｂを再生する際の構成を示している。１１１は通信部であり、バス線１１０に接続されており、楽曲ファイル１０９ｂのデータはネットワーク１１２を経由して通信部１１１よりバス線１１０に伝達され情報処理部１０４で処理され再生される。以上の処理により、ネットワーク１１２を介した遠隔地の情報も再生することができる。
【実施例４】
【００４６】
図３０は、楽曲ライブラリ情報１０８に、楽曲情報テーブル１０８ａとプレイリスト情報テーブル１０８ｂに加えて、再生候補リスト復元テーブル１０８ｃを格納したものである。再生プログラム１０７の処理S5-5,S5-6の間において、再生候補リスト復元テーブル１０８ｃに格納されたプレイリストＩＤと同一のＩＤを持つプレイリストをプレイリスト情報テーブル１０８ｂから取得し、取得したそれらのデータに対応するアイコン２１０の位置を領域２０１に設定する。また、再生プログラム１０７の終了時に、領域２０１に存在するアイコン２１０のプレイリストＩＤ群で再生候補リスト復元テーブルのデータを更新する。再生候補リスト復元テーブル１０８ｃに格納するデータは、プレイリストＩＤの他にアイコン２１０の位置情報や再生順序等が加わってもよい。以上の処理によって、本発明による情報再生装置を終了した時点での第一の領域に存在するアイコン群の状態を復元することができる。
【実施例５】
【００４７】
第一の領域２０１に利用者の持っている情報コンテンツのアイコン２１０を表示し、第二の領域２０２に利用者の所有物ではない情報コンテンツ、例えば、本発明による情報再生装置が置かれている店舗もしくはＷｅｂサイトにて購入可能な情報コンテンツの中から第一の領域に存在するアイコン群に関連するアイコン２１０を表示することで情報コンテンツの推薦システムにも応用できる。
【実施例６】
【００４８】
本発明は従来の情報再生装置に、本発明による情報再生プログラムをインストールし、本発明の情報処理を実行させることによっても実現可能である。
【産業上の利用可能性】
【００４９】
本発明は、ＰＣやＨＤＤレコーダー、車載情報端末、携帯用情報端末等の情報機器を利用した音楽・映像コンテンツの再生装置や、Ｗｅｂの半自動閲覧装置として利用できる。
【図面の簡単な説明】
【００５０】
【図１】概念図。
【図２】機器構成図。
【図３】楽曲ライブラリ情報詳細。
【図４】画面構成図。。
【図５】プログラムの起動からのフロー。
【図６】アイコンに対する処理のフロー。
【図７】第二の領域内のアイコンの移動。
【図８】第二の領域内に表示するアイコンの条件指定。
【図９】属性に応じてアイコンの移動速度を変化。
【図１０】属性に応じてアイコンの大きさを変化。
【図１１】属性に応じてアイコンの移動経路を変化。
【図１２】入力装置による第二の領域から第一の領域へのアイコンの移動。
【図１３】第一の領域内のアイコン群の移動。
【図１４】第一の領域内のアイコンに関連付けられたコンテンツの再生。
【図１５】コンテンツを再生中の画面例。
【図１６】第一の領域内でのアイコンの順番の変更。
【図１７】開口部の開閉制御。
【図１８】第二の領域のアイコン群の開口部を経由した第一の領域への移動。
【図１９】第一の領域のアイコン群の開口部を経由した第二の領域への移動。
【図２０】第二の領域から第一の領域に移動したアイコンが再度第二の領域へ移動する様子。
【図２１】検索用インタフェース。
【図２２】検索用インタフェース（条件に合致しないものは領域内に侵入できない）。
【図２３】検索用インタフェース（条件に合致していても領域内に侵入できる項目数は領域の大きさに依存する）。
【図２４】検索用インタフェース（条件に合致する項目の入れ替えは入力装置の操作により任意に入れ替えが可能）。
【図２５】検索用インタフェース（条件の組み合わせが可能。組み合わせによって検索から漏れる項目も確認可能）。
【図２６】検索用インタフェースによる開口部での絞り込み。
【図２７】検索用インタフェースによる第二の領域から第一の領域へのアイコン群の移動。
【図２８】検索用インタフェースの組み合わせを用いた際の、第二の領域から第一の領域へのアイコン群の移動。
【図２９】遠隔地に存在する楽曲データファイルの再生。
【図３０】再生候補リスト復元テーブルを利用した第一の領域のアイコン群の復元。
【符号の説明】
【００５１】
１０１：情報表示装置、１０２：入力装置、１０３：出力装置、１０４：情報処理装置、１０５：メモリ、１０６：ハードディスク、１０７：再生用プログラム、１０８：楽曲ライブラリ情報、１０９：楽曲データファイル、１１０：バス線、１１１：通信部、１１２：ネットワーク、１１３：リモートストレージ、１０８a：楽曲情報テーブル、１０８b：プレイリスト情報テーブル、１０８c：再生候補リスト復元テーブル、２０１：第一の領域、２０２：第二の領域、２１０：アイコン、２５０：カーソル。
【図１】
2007157243.tif 000003
【図２】
2007157243.tif 000004
【図３】
2007157243.tif 000005
【図４】
2007157243.tif 000006
【図５】
2007157243.tif 000007
【図６】
2007157243.tif 000008
【図７】
2007157243.tif 000009
【図８】
2007157243.tif 000010
【図９】
2007157243.tif 000011
【図１０】
2007157243.tif 000012
【図１１】
2007157243.tif 000013
【図１２】
2007157243.tif 000014
【図１３】
2007157243.tif 000015
【図１４】
2007157243.tif 000016
【図１５】
2007157243.tif 000017
【図１６】
2007157243.tif 000018
【図１７】
2007157243.tif 000019
【図１８】
2007157243.tif 000020
【図１９】
2007157243.tif 000021
【図２０】
2007157243.tif 000022
【図２１】
2007157243.tif 000023
【図２２】
2007157243.tif 000024
【図２３】
2007157243.tif 000025
【図２４】
2007157243.tif 000026
【図２５】
2007157243.tif 000027
【図２６】
2007157243.tif 000028
【図２７】
2007157243.tif 000029
【図２８】
2007157243.tif 000030
【図２９】
2007157243.tif 000031
【図３０】
2007157243.tif 000032